(57)【要約】【課題】遊技球の不正な入賞を抑制し得ると共に、賞球確認作業も効率的に行ない得る入賞装置を提供する。【解決手段】始動入賞装置２０を、開放時に遊技球の上方入賞口への入賞を許容する第１,第２羽根部材２６,２８と、装置本体３８に設けられるソレノイド５２と、第１,第２羽根部材２６,２８とソレノイド５２のプランジャ５２ａとに連繋されて第１,第２羽根部材２６,２８を開閉させる揺動部材５６とから構成する。揺動部材５６は、第１,第２アーム部材７６,７８と、両アーム部材７６,７８を連結する第１,第２連結部材１００,１０２とから構成される。第１アーム部材７６は、第１連結部材１００におけるプランジャ５２ａとの当接部１００ｃから第１アーム部材７６との連繋部１００ｂまでの間の部位で切断され、第１羽根部材２６の遊技球略１球分の強制開放が許容される。【選択図】図２
2008048900.tif 000002
【特許請求の範囲】
【請求項１】
遊技盤に取付けられた装置本体に開閉可能に配設され、開放状態にあって遊技球の入賞口への入賞を許容すると共に閉成状態にあって遊技球の入賞口への入賞が阻止される一対の第１,第２開閉部材と、前記装置本体に配設される駆動装置と、前記第１,第２開閉部材と駆動装置のプランジャとに連繋され、該プランジャの往復動作に連動して第１,第２開閉部材を開閉作動させる揺動部材とを備え、前記揺動部材は、前記第１,第２開閉部材の夫々に連繋する一対の第１,第２アーム部材と、両第１,第２アーム部材を夫々連結して前後に位置する第１,第２連結部材とからなり、前記駆動装置の非作動時において、前記プランジャが前記第１連結部材に当接して前記揺動部材における第１,第２開閉部材を開放させる開放方向への揺動が規制される一方、前記駆動装置の作動時においては、前記プランジャが前記第２連結部材に係合して前記揺動部材を前記開放方向へ揺動させるよう構成した入賞装置において、
前記第１連結部材を、前記プランジャとの当接部から前記第１アーム部材との連繋部までの間の部位で切断することで、前記揺動部材がプランジャにより揺動規制された状態にあって、前記揺動部材が第１開閉部材における遊技球略１球分の強制開放に対応する量だけ撓むのを許容するようにした
ことを特徴とする入賞装置。
【請求項２】
前記プランジャは、前記揺動部材の上方に延在し、前記駆動装置の非作動時において、前記第２連結部材の前方に位置する前記第１連結部材における幅方向中央位置に形成された当接部の上面に当接すると共に、駆動装置の作動時において、該プランジャは後退移動して、第２連結部材に係合するようになっている請求項１記載の入賞装置。
【請求項３】
前記当接部の上面は、前記プランジャの当接状態において該プランジャの移動方向に対して平行に設定されると共に、該当接部の上面後端部は下方に向けて湾曲形成されている請求項２記載の入賞装置。
【請求項４】
前記駆動装置はソレノイドであって、前記揺動部材に、前記入賞口に入賞した遊技球が通過し得るスペースが前記第１,第２アーム部材および前記第１,第２連結部材によって画成され、前記第２連結部材における前記プランジャとスペースとの間に磁気遮蔽部材を設けた請求項２または３記載の入賞装置。
【発明の詳細な説明】
【技術分野】
【０００１】
この発明は、遊技盤に設置された開閉部材が開閉することで、遊技球の入賞口への入賞が許容・阻止される入賞装置に関するものである。
【背景技術】
【０００２】
代表的な遊技機であるパチンコ式遊技機は、機内にセットされる遊技盤の遊技領域に、各種図柄を変動および停止表示することで図柄変動ゲームを行なう液晶式やドラム式等の図柄表示装置が配設され、該図柄表示装置の下方位置に、図柄表示装置での図柄変動ゲームを開始させる契機となる始動入賞装置(入賞装置)が配設されている。そして、前記遊技領域を流下する遊技球(パチンコ球)が、前記始動入賞装置に１箇所あるいは上下の位置関係で２箇所に設けた入賞口に入賞することで、図柄表示装置での図柄変動ゲームを開始させると共に、少数の遊技球を賞球として払出すよう構成されている。
【０００３】
前記入賞装置は、羽根とよばれる一対の開閉部材を開閉自在に備え、該開閉部材が開閉作動することで、遊技球の入賞口への入賞を制御するものが一般的である。この種の入賞装置は、常には、開閉部材が閉状態となって遊技球の入賞が阻止されると共に、所定条件のもとで駆動装置が開閉部材を開放作動して、遊技球の入賞口への入賞を許容するようになっている。
【０００４】
ところで、このような入賞装置に対し、遊技機の隙間から遊技領域内へ侵入させた針金等で前記開閉部材を強制的に開放し、遊技球を入賞させる不正行為(所謂、ゴト行為)が近年多発しており、問題となっている。そこで、このような不正行為に対処するものとして、例えば、特許文献１に示す入賞装置が提案されている。特許文献１の入賞装置は、開閉部材の閉成時に、該開閉部材の駆動源であるソレノイド以外の外力が開閉部材に加えられた場合には、該開閉部材に設けられた操作子がソレノイドのプランジャに当接規制されて、開閉部材の強制開放が阻止されるようになっている。
【特許文献１】特開２００３−３４００２０号公報
【発明の開示】
【発明が解決しようとする課題】
【０００５】
このように、特許文献１に示す入賞装置は、ソレノイドのプランジャに前記操作子が当接規制されることで、ソレノイドの非作動時における開閉部材の開放を完全に不能とし得る。ところが、遊技機の検査工程で実施される入賞装置の賞球確認作業においては、ソレノイドの非作動時に開閉部材を開放させて遊技球を入賞させることが必要である。しかるに、特許文献１の如く開閉部材の強制的な開放を全く不能にしてしまうと、賞球確認をするには、開閉部材の上部に設けた貫通孔を介して遊技球を入賞させる他なく、作業が非常に非効率となってしまう。また、前記貫通孔が遊技球等で塞がれてしまい、開閉部材の開放時にしか遊技球を入賞させることができない場合、賞球確認ができなくなる畏れがある。
【０００６】
そこで本発明は、従来の入賞装置に内在する前記問題に鑑み、これを好適に解決するべく提案されたものであって、開閉部材の強制開放による遊技球の不正な入賞を抑制し得ると共に、賞球確認作業も効率的に行ない得る入賞装置を提供することを目的とする。
【課題を解決するための手段】
【０００７】
前記課題を克服し、所期の目的を達成するため、請求項１に係る入賞装置は、
遊技盤(10)に取付けられた装置本体(38)に開閉可能に配設され、開放状態にあって遊技球(S)の入賞口(46)への入賞を許容すると共に閉成状態にあって遊技球(S)の入賞口(46)への入賞が阻止される一対の第１,第２開閉部材(26,28)と、前記装置本体(38)に配設される駆動装置(52)と、前記第１,第２開閉部材(26,28)と駆動装置(52)のプランジャ(52a)とに連繋され、該プランジャ(52a)の往復動作に連動して第１,第２開閉部材(26,28)を開閉作動させる揺動部材(56)とを備え、前記揺動部材(56)は、前記第１,第２開閉部材(26,28)の夫々に連繋する一対の第１,第２アーム部材(76,78)と、両第１,第２アーム部材(76,78)を夫々連結して前後に位置する第１,第２連結部材(100,102)とからなり、前記駆動装置(52)の非作動時において、前記プランジャ(52a)が前記第１連結部材(100)に当接して前記揺動部材(56)における第１,第２開閉部材(26,28)を開放させる開放方向への揺動が規制される一方、前記駆動装置(52)の作動時においては、前記プランジャ(52a)が前記第２連結部材(102)に係合して前記揺動部材(56)を前記開放方向へ揺動させるよう構成した入賞装置において、
前記第１連結部材(100)を、前記プランジャ(52a)との当接部(100a)から前記第１アーム部材(76)との連繋部(100b)までの間の部位で切断することで、前記揺動部材(56)がプランジャ(52a)により揺動規制された状態にあって、前記揺動部材(56)が第１開閉部材(26)における遊技球略１球分の強制開放に対応する量だけ撓むのを許容するようにしたことを特徴とする。
請求項１の発明によれば、駆動装置の非作動時に、プランジャが揺動部材を規制して第１,第２開閉部材を閉成状態に維持するので、該第１,第２開閉部材の強制的な開放を抑制し得る。しかも、第１連結部材について、プランジャとの当接部から第１アーム部材との連繋部までの間で切断したので、プランジャにより揺動部材が規制された状態であっても、第１開閉部材を遊技球略１球分だけ強制的に開放することが可能となる。従って、遊技機の検査工程で実施される入賞装置の賞球確認を効率的に行なうことができる。しかも第１,第２開閉部材のうち、強制開放し得るのは第１開閉部材だけであり、該第１開閉部材の開放量は遊技球の略１球分に制限されるので、不正な目的で第１開閉部材が開放されたとしても、入賞口に入賞し得る遊技球の数量を僅かに抑制することができる。
【０００８】
請求項２に係る入賞装置では、プランジャ(52a)は、前記揺動部材(56)の上方に延在し、前記駆動装置(52)の非作動時において、前記第２連結部材(102)の前方に位置する前記第１連結部材(100)における幅方向中央位置に形成された当接部(100a)の上面に当接すると共に、駆動装置(52)の作動時において、該プランジャ(52a)は後退移動して、第２連結部材(102)に係合するようにしたことを要旨とする。
請求項２の発明によれば、前述した特許文献１に示す如き従来の入賞装置に対し、第１連結部材を切断すると云った簡単な構成で第１開閉部材の遊技球略１球分の強制開放を実現することができる。すなわち、新たな部材等を設けたり、複雑な加工を施したりする必要がなく、従来の入賞装置を応用することができるので、製造コストを低廉に抑えることができる。
【０００９】
請求項３に係る入賞装置では、当接部(100a)の上面は、前記プランジャ(52a)の当接状態において該プランジャ(52a)の移動方向に対して平行に設定されると共に、該当接部(100a)の上面後端部は下方に向けて湾曲形成されていることを要旨とする。
請求項３の発明によれば、当接部の上面をプランジャの移動方向に対して平行になるよう設定すると共に、当接部の上面後端部を下方へ湾曲させたので、プランジャが後退および前進する際に当接部に引っ掛かり、第１,第２開閉部材が開放されなくなると云った不具合を防止し得る。
【００１０】
請求項４に係る入賞装置では、前記駆動装置はソレノイド(52)であって、前記揺動部材(56)に、前記入賞口(46)に入賞した遊技球が通過し得るスペース(90)が前記第１,第２アーム部材(76,78)および前記第１,第２連結部材(100,102)によって画成され、前記第２連結部材(102)における前記プランジャ(52a)とスペース(90)との間に磁気遮蔽部材(102b)を設けたことを要旨とする。
請求項４の発明によれば、第２連結部材のスペース内側に磁気遮蔽部材を設けたので、該スペース内を通過する遊技球にプランジャの磁力が作用するのを抑制し得る。従って、スペース内の遊技球がプランジャに吸着したり、遊技球の流通が滞ったりすることで、入賞装置内で球詰まりが発生するのを防止することができる。
【発明の効果】
【００１１】
本発明に係る入賞装置によれば、第１,第２開閉部材の強制開放を抑制し得ると共に、検査工程における賞球確認作業を効率的に行ない得る。
【発明を実施するための最良の形態】
【００１２】
次に、本発明に係る入賞装置につき、好適な実施例を挙げて、添付図面を参照しながら、以下詳細に説明する。なお実施例では、遊技球を使用して遊技を行なう一般的な遊技機に本発明の入賞装置を設けた場合を説明する。また、以下の説明において前・後および左・右とは、特に断りのない限り、図１に示すように遊技機の遊技盤を正面側から見た場合において指称するものとする。
【実施例】
【００１３】
図１は遊技機に設けられる遊技盤１０の正面図を示す。実施例の遊技盤１０は、略矩形状に形成されて、その前面側に略円形状に湾曲するレール１２が取付けられており、該レール１２により画成される遊技領域１４に、図示しない発射装置によって遊技球Ｓを打出すようになっている。また、前記遊技領域１４の略中央上方位置には、各種の特別図柄を変動して特別図柄変動ゲームを行なう液晶式やドラム式等の特別図柄表示装置１６を備えた装飾部材１８が配設されると共に、該装飾部材１８の下方位置に、遊技領域１４を流下する遊技球Ｓが入賞可能な始動入賞装置(入賞装置)２０が配設されており、該始動入賞装置２０に遊技球Ｓが入賞することで、特別図柄表示装置１６での特別図柄変動ゲームが開始される。そして、特別図柄変動ゲームの結果、前記特別図柄表示装置１６に特定の図柄組合わせ(例えば、同一図柄の三つ揃)が表示されることで、遊技者に有利な特別遊技(所謂大当り)が発生するよう構成されている。更に、前記装飾部材１８の右上には、各種の普通図柄を変動して普通図柄変動ゲームを行なうＬＥＤ表示式の普通図柄表示装置２２が設けられており、前記遊技領域１４における装飾部材１８の左位置に配設された始動通過口２４に遊技球Ｓが通過することで、普通図柄表示装置２２での普通図柄変動ゲームが開始されるようになっている。そして、普通図柄変動ゲームの結果、前記普通図柄表示装置２２に当り図柄が表示(例えば○が点灯)されることで、前記始動入賞装置２０の第１,第２羽根部材(第１,第２開閉部材)２６,２８(後述)が開放状態になるよう構成されている。
【００１４】
前記遊技盤１０の遊技領域１４における始動入賞装置２０の下方位置には、特別遊技の発生時に開放して遊技球Ｓの入賞を許容する特別入賞装置３０が配設されており、該特別入賞装置３０に遊技球Ｓが入賞することで、遊技機裏側に配設した球払出装置(図示せず)により、機表側に設けた球皿(図示せず)に賞球が払出されるようになっている。なお、遊技盤１０には、遊技球Ｓが入賞可能な一般入賞装置３２が複数箇所に設けられると共に、遊技領域１４の最下方位置には、始動入賞装置２０や特別入賞装置３０、一般入賞装置３２に入賞しない遊技球Ｓを排出するアウト口３４を設けてある。
【００１５】
次に、前記始動入賞装置２０について説明する。実施例に係る始動入賞装置２０は、前記遊技盤１０に配設した際に、該遊技盤１０の前面側に臨む入賞部３６と、遊技盤１０より裏側に配設される装置本体３８とから構成される(図２参照)。前記入賞部３６は、図３に示すように、前記遊技盤１０に取着される取付部材４０と、該取付部材４０の前側に一体成形されて、上方入賞口４２を備えた規制部材４４と、取付部材４０の前側における規制部材４４の下方に設けられて、遊技領域１４を流下する遊技球Ｓが入賞可能な下方入賞口(入賞口)４６を有する飾り部材４８と、取付部材４０および飾り部材４８の間に配設されて下方入賞口４６を開閉する第１羽根部材２６および第２羽根部材２８とから構成される。なお、前記規制部材４４に設けられる上方入賞口４２は、遊技球Ｓが通過可能な開口寸法を有するものの、図３に示すように、該上方入賞口４２の上方位置に臨む遊技盤に設けられた複数の遊技釘１０４により、上方入賞口４２に対して上方からの遊技球Ｓの入賞は不能とされる。すなわち、遊技球Ｓは、始動入賞装置２０に対し、前記第１,第２羽根部材２６,２８の開放時において下方入賞口４６のみから入賞し得るよう設定されている。
【００１６】
前記入賞部３６を構成する飾り部材４８は、図２に示す如く、その前面部６６が前記取付部材４０より所定間隔離間した状態で配設され、飾り部材４８と取付部材４０との間に第１,第２羽根部材２６,２８を収容するための収容部７０が画成されている。また、飾り部材４８は全体が上方に開口しており、この上方開口が前記下方入賞口４６として機能する。なお、図３に示すように、前記規制部材４４の下端と飾り部材４８の上端との離間間隔(最近接距離)は、遊技球Ｓの直径よりも小さくなるよう設定されている。すなわち、規制部材４４と飾り部材４８との最近接距離を小さく設定することで、遊技球Ｓが下方入賞口４６における飾り部材４８の中央部上方側から入賞するのを規制している。なお、前記飾り部材４８における下方入賞口４６の左右に離間する位置には、前記羽根部材２６,２８を支持する一対の支軸４８ａ,４８ａが後方へ向けて延在するよう形成してある(図２参照)。
【００１７】
前記第１羽根部材２６および第２羽根部材２８は、前記下方入賞口４６を挟む左右両側に位置する一対の部材であって、互いに左右対称な形状で上方に向かって徐々に薄肉となる所謂フラップ状に形成されている。各羽根部材２６,２８の下部位置には、図２に示す如く、前後方向に貫通する軸孔２６ｂ,２８ｂが形成されており、該軸孔２６ｂ,２８ｂに前記飾り部材４８の支軸４８ａ,４８ａを挿通することで、第１,第２羽根部材２６,２８が飾り部材４８に揺動可能に組付けられる。そして、第１,第２羽根部材２６,２８の上端部(先端部)が、相互に近接する方向および相互に離間する方向へ揺動することで、前記下方入賞口４６を開閉するようになっている。
【００１８】
すなわち、第１,第２羽根部材２６,２８の上端部を相互に離間させた開放状態(図３の２点鎖線参照)では、該第１,第２羽根部材２６,２８と前記規制部材４４との間から下方入賞口４６への遊技球Ｓの入賞が許容される。但し、前述したように、規制部材４４と飾り部材４８とは幅方向中央部で最も近接しているので、第１,第２羽根部材２６,２８が開放位置にあっても遊技球Ｓは飾り部材４８の中央部上方側から入賞することはできず、遊技球Ｓは下方入賞口４６に対して左右斜め上方から入賞するように設定されている。また、第１,第２羽根部材２６,２８の上端部を相互に近接させた閉成状態(図３の実線参照)では、該第１,第２羽根部材２６,２８の上端部が規制部材４４の直下に位置し、両羽根部材２６,２８および規制部材４４によって下方入賞口４６への遊技球Ｓの入賞が規制される。但し、後述するように、閉成状態にある第１,第２羽根部材２６,２８のうち、右側の第１羽根部材２６に関しては、ソレノイド５２が非励磁状態であっても遊技球略１球分だけ強制的開放させることが可能となっている。なお、閉成時における第１,第２羽根部材２６,２８の両上端部の離間距離は、遊技球Ｓの直径よりも大きく設定されている。また、前記第１,第２羽根部材２６,２８における軸孔２６ｂ,２８ｂの近傍には、前記取付部材４０に開設した開口部(図示せず)を介して取付部材４０の裏側まで延在する突起部２６ａ,２８ａが夫々形成されており、該突起部２６ａ,２８ａに対して後述する揺動部材５６が係合するようになっている(図４参照)。
【００１９】
前記装置本体３８には、図２および図４に示すように、前後方向に動作するプランジャ５２ａを往復駆動させるソレノイド(駆動装置)５２と、前記第１,第２羽根部材２６,２８とプランジャ５２ａとに連繋され、該プランジャ５２ａの往復動作に連動して第１,第２羽根部材２６,２８を開閉作動させる揺動部材５６とが配設されて、１つのユニットを構成している。また、装置本体３８における前記揺動部材５６の下方側には、図５に示すように、前記飾り部材４８の下方入賞口４６に連通して、該下方入賞口４６に入賞した遊技球Ｓを遊技盤１０の裏側へ転動させる案内路６０が形成されている。前記ソレノイド５２におけるプランジャ５２ａの前端部に、円盤状の係合板５２ｂが設けられると共に、該係合板５２ｂとソレノイド５２本体との間にバネ等からなる弾性部材７４が介装されている(図４参照)。そして、前記ソレノイド５２に通電していない非励磁状態(非作動時)においては、弾性部材７４の弾性力によりプランジャ５２ａ(係合板５２ｂ)が前方に向けて付勢されるのに対し、ソレノイド５２に通電した励磁状態(作動時)においては、弾性部材７４の弾性力に抗してプランジャ５２ａ(係合板５２ｂ)が後方移動するようになっている。そして、ソレノイド５２が励磁状態となることで、前記揺動部材５６を介して第１,第２羽根部材２６,２８が開放され、またソレノイド５２が非励磁状態となることで、揺動部材５６を介して第１,第２羽根部材２６,２８が閉成されるよう構成される。なお、実施例においては、図５に示す如く、ソレノイド５２は揺動部材５６の上方に位置し、前記プランジャ５２ａが該揺動部材５６の上方を前後にスライドするよう構成される。
【００２０】
前記揺動部材５６は、図４,図５,図６および図７に示すように、前端が上下の二股状に形成されて前記第１羽根部材２６に形成した突起部２６ａの後端が突入係合する第１アーム部材７６と、同じく前端が上下の二股状に形成されて前記第２羽根部材２８に形成した突起部２８ａの後端が突入係合する第２アーム部材７８と、両アーム部材７６,７８を後部上側でアーチ状に連結する一対の第１,第２連結部材１００,１０２とから構成される。また、前記第１,第２アーム部材７６,７８の相互に離間する側面には、外側に向けて揺動軸７６ａ,７８ａが夫々突設されており、該揺動軸７６ａ,７８ａを装置本体３８に設けた所要の軸孔(図示せず)に挿通することで、揺動部材５６は該揺動軸７６ａ,７８ａを軸として前端が上下動するよう揺動可能に配設される。更に、揺動部材５６の第１,第２連結部材１００,１０２と第１,第２アーム部材７６,７８とによってスペース９０が画成され、該スペース９０の下方側を前記案内路６０が前後方向に延在するよう構成される。ここで、前記揺動軸７６ａ,７８ａを第１,第２アーム部材７６,７８の外側面に離間して設けたことにより、前記スペース９０を画成することが可能となっている。
【００２１】
図７に示すように、前記第１連結部材１００には、その幅方向中央に当接部１００ａが形成されており、図６(ａ)に示すように、ソレノイド５２の非励磁状態において前記プランジャ５２ａの係合板５２ｂが該当接部１００ａに当接して揺動部材５６の揺動を規制するようになっている。また、図６(ｂ)に示すように、前記ソレノイド５２を励磁してプランジャ５２ａが後退すると、前記係合板５２ｂと当接部１００ａとの係合が解除されて揺動部材５６の揺動が許容されるよう構成されている。図６(ａ)に示すように、前記当接部１００ａの上面は、揺動部材５６がプランジャ５２ａによって規制された姿勢において、該プランジャ５２ａのスライド方向に対して平行になるよう設定される。また、当接部１００ａの上面後端部は、下方に向けて湾曲形成されており、前記プランジャ５２ａの前後の進退移動時に干渉しないよう設定される。更に、前記第１連結部材１００は、前記当接部１００ａの第１アーム部材７６側に偏倚した部位で切断されて、切欠１００ｃを形成してある。すなわち、前記切欠１００ｃは、当接部１００ａから第１アーム部材７６との連繋部１００ｂまでの間の第１連結部材１００に形成される。
【００２２】
前記第１連結部材１００の後方に位置する第２連結部材１０２には、その幅方向中央部位に被係合部１０２ａが設けられている。この被係合部１０２ａは、図６(ｂ)に示すように、前記ソレノイド５２を励磁してプランジャ５２ａが後退した際に係合板５２ｂが係合する部位であって、係合状態でプランジャ５２ａが更に後退することで揺動部材５６が揺動するよう構成される。また、第２連結部材１０２における被係合部１０２ａの下面には、図６に示す如く、磁気遮蔽部材１０２ｂが設けられている。この磁気遮蔽部材１０２ｂは、前記スペース９０を通過する遊技球Ｓとプランジャ５２ａとの間に介在して、該プランジャ５２ａの磁力が遊技球Ｓに及ぶのを抑制するべく機能する。
【００２３】
上述したように、前記第１,第２連結部材１００,１０２により第１,第２アーム部材７６,７８を連結すると共に、第１連結部材１００における第１アーム部材７６側に前記切欠１００ｃを設けた構成により、揺動部材５６は、前記プランジャ５２ａにより揺動が規制された状態にあって、第１羽根部材２６における遊技球略１球分の強制開放に対応する量だけ撓むのを許容されている。すなわち、前記プランジャ５２ａにより揺動が規制された状態にあって、前記第１羽根部材２６を強制的に開放させると、前記揺動部材５６(主として前記第２連結部材１０２)が弾性変形して撓むと共に、前記第１連結部材１００が切断されていることから第１アーム部材７６についての揺動は許容される。これにより、第１羽根部材２６を遊技球略１球分だけ開放させることが可能となる。一方、前記プランジャ５２ａによる揺動規制状態にあって、第２羽根部材２８を開放しようとしても、該プランジャ５２ａにより第１連結部材１００の左側(前記当接部１００ａから第２アーム部材７８との連繋部１００ｄまでの部位)は規制されているので、第２連結部材１０２はあまり撓むことはなく、第２アーム部材７８は揺動不能となる。これにより、第２羽根部材２８の開放は規制されることとなる。なお、前記揺動部材５６の弾性変形量は、第１連結部材１００が切断されている前提において、第１羽根部材２６を遊技球略１球分だけ強制開放し得る値に設定される。
【００２４】
〔実施例の作用〕
次に、実施例に係る始動入賞装置２０の作用につき説明する。先ず、実施例の始動入賞装置２０が設けられた遊技機の遊技手順を概略的に説明すると、前記遊技盤１０に設けたレール１２に沿って遊技領域１４に打出された遊技球Ｓは、遊技盤１０上に設けた遊技釘等に接触して流下方向を変更しながら流下する。そして、前記遊技領域１４を流下する遊技球Ｓが前記始動通過口２４を通過すると、前記普通図柄表示装置２２において普通図柄変動ゲームが開始される。普通図柄変動ゲームの結果、前記普通図柄表示装置２２に当り図柄が表示されると、前記始動入賞装置２０の第１,第２羽根部材２６,２８が開放状態になり、前記下方入賞口４６への遊技球Ｓの入賞が許容される。前記下方入賞口４６に遊技球Ｓが入賞すると、前記特別図柄表示装置１６において所要の特別図柄変動ゲームが開始されると共に、前記球払出装置により所定数の賞球(例えば、４個の賞球)が払出される。そして、特別図柄変動ゲームの結果、特別図柄表示装置１６に特定の図柄組合わせ(大当り図柄)が表示されると、前記特別遊技が発生する。その後、前記第１,第２羽根部材２６,２８は、前記下方入賞口４６へ規定数の遊技球Ｓが入賞することで、あるいは、所定の開放時間が経過することで閉成される。なお、前記規制部材４４の上方入賞口４２の上方には、遊技釘１０４が植設されているので、遊技球Ｓの上方入賞口４２への入賞は規制される。
【００２５】
前記ソレノイド５２の非励磁状態にあっては、始動入賞装置２０の第１,第２羽根部材２６,２８は閉成位置に維持される。すなわち、図６(ａ)に示すように、前記プランジャ５２ａは、係合板５２ｂが揺動部材５６の当接部１００ａの上面に当接したまま停止状態にある。これにより、前記揺動部材５６の揺動が規制され、前記第１,第２羽根部材２６,２８の強制開放は基本的に抑制されることとなる。また、普通図柄表示装置２２の当り図柄の表示に伴なう始動入賞装置２０の具体的な動作としては、前記ソレノイド５２が非励磁状態から励磁状態になると、図６(ａ)に示す如く、前記プランジャ５２ａの係合板５２ｂが前記当接部１００ａに当接した状態から、図６(ｂ)に示すように、該プランジャ５２ａが後方へスライドする。これにより、前記当接部１００ａと係合板５２ｂとの当接が解除されると共に、係合板５２ｂが前記第２連結部材１０２の被係合部１０２ａに係合し、前記揺動部材５６が揺動軸７６ａ,７８ａを中心に前端が上昇する方向(図６における時計回り方向)へ揺動する。このとき、前記当接部１００ａの上面形状は、揺動部材５６が規制状態にある姿勢において、プランジャ５２ａのスライド方向と平行になるよう設定されているので、該当接部１００ａが係合板５２ｂに干渉することはない。更に、前記当接部１００ａの上面後端部は下方へ湾曲した形状とされているので、プランジャ５２ａはスムーズに当接部１００ａから離脱し得る。
【００２６】
前記プランジャ５２ａにより揺動部材５６が揺動されて前記第１,第２アーム部材７６,７８が上昇することで、両アーム部材７６,７８に係合する突起部２６ａ,２８ａが持ち上げられ、第１,第２羽根部材２６,２８を開放させる。第１,第２羽根部材２６,２８が開放すると、前記下方入賞口４６への遊技球Ｓの入賞が許容される。下方入賞口４６に入賞した遊技球Ｓは、前記取付部材４０に開設した図示しない開口部を介して遊技盤１０の裏側へ転動する。そして、図５に示すように、遊技球Ｓは前記案内路６０を介して後方へ案内され、前記スペース９０を通過して下方へ排出される。このとき、スペース９０を通過する遊技球Ｓとプランジャ５２ａとの間に磁気遮蔽部材１０２ｂが介在しているので、該プランジャ５２ａの磁力が遊技球Ｓに作用し難くなっている。これにより、スペース９０を通過する遊技球Ｓがプランジャ５２ａに吸着してしまい、スペース９０内で球詰まりが起きるのを防止し得る。
【００２７】
ところで、ソレノイド５２の非励磁状態にあって、第１,第２羽根部材２６,２８の強制開放を完全に遮断してしまうと、遊技機の検査工程で実施される始動入賞装置２０の賞球確認を行なうことができなくなる弊害が生ずる。すなわち、ソレノイド５２に通電することなく前記賞球確認を行なうためには、通常、前記規制部材４４の上方入賞口４２に遊技球Ｓを通過させて下方入賞口４６へ入賞させる方法が考えられる。しかしながら、実施例においては、前記規制部材４４の上方に遊技釘１０４が設けられ、上方入賞口４２への入賞が規制されているので、規制部材４４を介しての入賞確認は不能とされている。また、前記第１,第２羽根部材２６,２８の間の隙間に遊技球Ｓを前方側から入れようとしても、前記規制部材４４と飾り部材４８との離間間隔は、遊技球Ｓの直径よりも小さく設定されているので、この方法で遊技球Ｓを入賞させることも不可能である。すなわち、実施例の如き構成の始動入賞装置２０にあっては、賞球確認を行なう場合、第１,第２羽根部材２６,２８を強制開放させて遊技球Ｓを入賞させる他なく、ソレノイド５２が非励磁状態にある場合において第１,第２羽根部材２６,２８の強制開放を不能とすると、遊技球Ｓの賞球確認は事実上不可能となる。そこで、実施例に係る始動入賞装置２０にあっては、ソレノイド５２の非励磁状態においても、第１羽根部材２６に対する遊技球１球分の強制開放が許容されている。すなわち、前記第１連結部材１００は、当接部１００ａから第１アーム部材７６との連繋部１００ｂまでの間で切断されているので、プランジャ５２ａによる規制状態にあって第１羽根部材２６を強制開放すると、主として前記第２連結部材１０２が弾性変形して第１アーム部材７６の揺動が許容される。従って、前記第１連結部材１００に連結する第１羽根部材２６を遊技球略１球分のみ開放させることができ、賞球確認を効率的に行なうことが可能となる。
【００２８】
しかも、第１羽根部材２６を強制開放し得る量は遊技球略１球分に設定されているので、仮に針金等で第１羽根部材２６を強制的に開放させたとしても、前記下方入賞口４６に遊技球Ｓを１球ずつしか入賞させることができない。すなわち、ゴト行為によって不正獲得される賞球数を、僅かに抑えることができる。また、前記第１連結部材１００における第２アーム部材７８側は、プランジャ５２ａによって完全に規制された状態にあるので、前記第２連結部材１０２が撓むことがなく、第２アーム部材７８は揺動不能となる。従って、前記プランジャ５２ａによる規制状態にあって第２羽根部材２８を強制開放させたとしても、該第２羽根部材２８を不正に開放することは防止される。
【００２９】
以上に示したように、実施例に係る始動入賞装置２０は、ソレノイド５２の非作動時に、プランジャ５２ａが揺動部材５６を揺動規制して第１,第２羽根部材２６,２８を閉成状態に維持するので、該第１,第２羽根部材２６,２８の強制開放を抑制し得る。また、前記規制部材４４の上方に遊技釘１０４を設けて上方入賞口４２への入賞を規制し、更に、第１,第２羽根部材２６,２８の前方側からの遊技球Ｓの入賞も、規制部材４４および飾り部材４８の離間間隔が小さいために規制されている。すなわち、実施例に係る始動入賞装置２０においては、第１,第２羽根部材２６,２８を強制開放させる他、遊技球Ｓを入賞させることは不可能とされている。このような状況下にあって、実施例に係る始動入賞装置２０では、第１連結部材１００について、プランジャ５２ａとの当接部１００ａから第１アーム部材７６との連繋部１００ｂまでの間で切断したので、プランジャ５２ａにより揺動部材５６が規制された状態であっても、第１羽根部材２６を遊技球略１球分だけ強制的に開放することが可能となる。従って、遊技機の検査工程で実施される始動入賞装置２０の賞球確認を効率的に行なうことができる。しかも第１,第２羽根部材２６,２８のうち、強制開放し得るのは第１羽根部材２６のみであり、該第１羽根部材２６の開放量は遊技球の略１球分に制限されるので、不正な目的で第１羽根部材２６が開放されたとしても、入賞し得る遊技球の数量は僅かである。なお、前記規制部材４４の下面と第１,第２羽根部材２６,２８の上端とが近接するよう構成したので、近年の図柄表示装置の大型化に伴なう始動入賞装置２０の上下幅の縮小化を図ることが可能となる。
【００３０】
また、実施例によれば、第１連結部材１００を切断すると云った簡単な構成で、第１羽根部材２６の強制開放が実現されている。すなわち、新たな部材等を設けたり、複雑な加工を施したりする必要がなく、従来の始動入賞装置を応用することができるので、製造コストを低廉に抑えることができる。
【００３１】
実施例に係る始動入賞装置２０は、当接部１００ａの上面をプランジャ５２ａの移動方向に対して平行になるよう構成し、また、当接部１００ａの上面後端部を下方へ湾曲させたので、プランジャ５２ａが前後にスライドする際に当接部１００ａと引っ掛かるのを防止し得る。すなわち、プランジャ５２ａが当接部１００ａに干渉され、第１,第２羽根部材２６,２８が開放されなくなると云った不具合を好適に防止し得る。
【００３２】
更に、前記第２連結部材１０２のスペース９０側に磁気遮蔽部材１０２ｂを設けたので、該スペース９０を通過する遊技球Ｓにプランジャ５２ａの磁力が作用するのを抑制し得る。従って、スペース９０内の遊技球Ｓがプランジャ５２ａに吸着したり、遊技球Ｓの流通が滞ったりすることで、始動入賞装置２０内で球詰まりが発生するのを防止することができる。
【００３３】
なお、実施例で示した始動入賞装置２０においては、左右の羽根部材のうち、右側の第１羽根部材２６を強制開放し得る構成とされていたが、この「右側」の第１羽根部材２６を強制開放し得る構成は、例えば図９に示すような、近年多く提案されている遊技領域１１０の右側全体を覆うようにしてセンター役物１１２が配設された遊技機に対して殊に有用である。この種の遊技機では、前記センター役物１１２の右側を通過するよう遊技球Ｓを発射(所謂、右打ち)したとしても、図９の矢印に示すように、遊技球Ｓは遊技領域１１０における右側の領域１１０ａを通過して全てアウト口１１４から排出されるようになっている。すなわち、図９に示す遊技機において遊技球Ｓが始動入賞装置２０に入賞するケースとしては、遊技盤１１６(センター役物１１２)の左側を遊技球Ｓが落下した場合に限定される。
【００３４】
また、図９に示す遊技機とは異なり、センター役物の右側を通過した遊技球Ｓであっても、始動入賞装置２０に入賞し得るよう設定されたタイプの遊技機(図示せず)も提案されている。しかしながら、この種の遊技機で右打ちを行なったとしても、遊技球Ｓがセンター役物の右側を通過して始動入賞装置に入賞するのは、釘等によって変則的に跳ね返されて偶発的に入賞した場合に限られ、殆どの遊技球Ｓはアウト口から排出されるようになっている。すなわち、この種の遊技機において、センター役物の右側を通過した遊技球Ｓが始動入賞装置へ入賞することは極めて稀であり、始動入賞装置への入賞は、図９で示した遊技機と同様に、主としてセンター役物の左側を通過した遊技球Ｓにより実現される。
【００３５】
そして、前述した何れのタイプの遊技機において、センター役物１１２の左側を通過した遊技球Ｓが始動入賞装置２０の右側(すなわち、第１羽根部材２６側)から入賞する例としては、釘等によって遊技球Ｓが始動入賞装置２０を飛び越えた後に、該始動入賞装置２０の右側から入賞する場合や、センター役物１１２に設けられたワープゾーン１１８を介して遊技球Ｓがステージ１２０上を転動した後、始動入賞装置２０の右側から入賞するような場合が挙げられる。しかしながら、遊技球Ｓが始動入賞装置２０を飛び越えて右側から入賞する場合は、左側から入賞する場合に比べて極めて確率的に低く、基本的に遊技球Ｓは始動入賞装置２０の左側から入賞されることとなる。すなわち、前述した２種のタイプの遊技機において、遊技球Ｓは、始動入賞装置２０の左側からの入賞が前提とされている。従って、実施例の如く、右側の羽根部材(第１羽根部材２６)を強制開放可能とすることで、仮に針金等を遊技領域１１０に侵入させて第１羽根部材２６を不正に開放させたとしても、第１羽根部材２６(右側)から入賞し得る遊技球Ｓの数は極めて少なく、左側の羽根部材(第２羽根部材２８)を不正に開放された場合に比べて被る被害を小さくすることができる。すなわち、近年提案されている大型のセンター役物１１２が配設された遊技機においては、実施例で示したような、右側の羽根部材(第１羽根部材２６)を強制開放可能とした始動入賞装置２０が殊に好適に採用される。
【００３６】
〔変更例〕
なお、本発明に係る入賞装置としては、実施例のものに限られるものではなく、種々の変更が可能である。実施例では、入賞装置を、特別図柄変動ゲームを開始させる契機となる始動入賞装置２０として採用した場合を示したが、本発明に係る入賞装置はこれに限られるものでなく、例えば、図１に示す一般入賞装置３２に開閉部材を設けたような、入賞することで単に賞球が払出されるものとして本発明に係る入賞装置を採用することが可能である。また、本実施例の始動入賞装置２０は、閉成した第１,第２羽根部材２６,２８と規制部材４４とにより遊技球Ｓの下方入賞口４６への入賞を阻止するよう構成したが、例えば、閉成時の第１,第２羽根部材２６,２８が遊技球Ｓの直径寸法よりも狭くなるまで近接するよう配置し、規制部材４４や遊技釘１０４等を設けなくとも遊技球Ｓの入賞を阻止し得る構成としてもよい。更に、規制部材４４に上方入賞口４２を開設せずに、該規制部材４４を板状の部材としてもよい。この場合においても、板状の規制部材４４と前記飾り部材４８との離間間隔は、遊技球Ｓの直径よりも小さく設定され、遊技球Ｓを第１,第２羽根部材２６,２８の前方側から入賞し得ないよう設定される。更にまた、実施例で示した第１,第２羽根部材２６,２８の形状は、所謂フラップ状に形成されてものであったが、例えば、各羽根部材が三日月状に湾曲した形状等、その他の形状であってもよい。
【００３７】
実施例では、前記第１連結部材１００について、第１アーム部材７６側で、かつ前記当接部１００ａに近接する部位で切断したが、該当接部１００ａから前記連繋部１００ｂまでの間であれば、何れの箇所で切断してもよい。また、実施例では、始動入賞装置２０の第１羽根部材２６を強制開放可能とし、第２羽根部材２８を強制開放不能としていたが、逆の構成であってもよい。この場合、第１連結部材１００の切断位置(すなわち、前記切欠１００ｃの形成位置)は、前記当接部１００ａから前記第２アーム部材７８との連繋部１００ｄまでの間に設けられる。すなわち、第１連結部材１００を切断する部位は、前記当接部１００ａから強制開放を望む羽根部材側に偏倚した箇所であればよい。更に、前記当接部１００ａは、必ずしも、前記第１連結部材１００の幅方向中央位置に設ける必要はなく、左右に偏倚させてもよい。
【００３８】
実施例においては、ソレノイド５２およびプランジャ５２ａが前記揺動部材５６の上方に位置し、該プランジャ５２ａが後方へスライドすることで該揺動部材５６を開放方向へ揺動させる構成とした。しかしながら、例えば、図８に示すように、ソレノイド５２およびプランジャ５２ａを揺動部材５６の下方側に配設する構成としてもよい。この場合、ソレノイド５２の非励磁状態にあっては、図８(ａ)に示す如く、プランジャ５２ａが後退した状態にあり、また、ソレノイド５２が励磁されると、図８(ｂ)に示すように、プランジャ５２ａは前方へスライドする構成が採用される。また、前記弾性部材７４は、図８(ａ)に示す如く状態を自然状態とするものが採用され、前記プランジャ５２ａは、図８(ｂ)に示す如く、弾性部材７４の弾性力に逆らって前方へスライドされる。更に、前記第１,第２連結部材１００,１０２の配設位置は、実施例の場合と前後が逆となる。
【００３９】
実施例や図８に示す変更例では、第１,第２羽根部材２６,２８を作動する駆動源としてソレノイド５２を採用したが、駆動装置としてはソレノイド５２に限定されず、モータとラック−ピニオンの組合わせ等、従来公知の各種の手段を採用できる。また、第１,第２連結部材１００,１０２およびプランジャ５２ａの連繋構造についても、実施例の構造に限られず、所要に応じて変更すればよい。
【図面の簡単な説明】
【００４０】
【図１】実施例に係る始動入賞装置を取付けた遊技盤を示す正面図である。
【図２】実施例に係る始動入賞装置の平面図である。
【図３】実施例に係る始動入賞装置の正面図である。
【図４】始動入賞装置の要部を示す概略平面図である。
【図５】始動入賞装置を示す側面図である。
【図６】始動入賞装置の作用を示す概略説明図であって、(ａ)は第１,第２羽根部材の閉成状態を示し、(ｂ)は第１,第２羽根部材の開放状態を示す。
【図７】揺動部材および第１,第２羽根部材を示す平面図である。
【図８】変更例に係る始動入賞装置の作用を示す概略説明図であって、(ａ)は第１,第２羽根部材の閉成状態を示し、(ｂ)は第１,第２羽根部材の開放状態を示す。
【図９】遊技球が主として始動入賞装置の左側から入賞するよう設定された遊技盤の例を示す正面図である。
【符号の説明】
【００４１】
１０ 遊技盤，２６ 第１羽根部材(第１開閉部材)
２８ 第２羽根部材２８(第２開閉部材)，３８ 装置本体
４６ 下方入賞口(入賞口)，５２ ソレノイド(駆動装置)，５２ａ プランジャ
５６ 揺動部材，７６ 第１アーム部材，７８ 第２アーム部材
９０ スペース，１００ 第１連結部材，１００ｂ 連繋部
１０２ 第２連結部材，１０２ｂ 磁気遮蔽部材，Ｓ 遊技球
【図１】
2008048900.tif 000003
【図２】
2008048900.tif 000004
【図３】
2008048900.tif 000005
【図４】
2008048900.tif 000006
【図５】
2008048900.tif 000007
【図６】
2008048900.tif 000008
【図７】
2008048900.tif 000009
【図８】
2008048900.tif 000010
【図９】
2008048900.tif 000011